(57)【要約】  無線通信システムにおける同期のための方法およびデバイスに関する。本方法は、同じキャリア内で複数の同期信号ブロック（ＳＳＢ）をブロードキャストすることと、複数のＳＳＢ中に含まれる情報に従って、システム情報のインジケータをブロードキャストすることとを含む。複数のＳＳＢの各々が、サブキャリアの異なるセット上で送られる。したがって、スペクトルリソースの公平な共有に対する需要が満たされ得る。【選択図】図２
2020516120.tif 000002
【特許請求の範囲】
【請求項１】
無線通信システムにおける同期のための方法であって、
同じキャリア内で複数の同期信号ブロック（ＳＳＢ）をブロードキャストすることであって、前記複数のＳＳＢの各々が、サブキャリアの異なるセット上で送られる、複数のＳＳＢをブロードキャストすることと、
前記複数のＳＳＢ中に含まれる情報に従って、システム情報のインジケータをブロードキャストすることと
を含む、方法。
【請求項２】
前記複数のＳＳＢ中に含まれる前記情報は、対応するＳＳＢの周波数ロケーションが、システム情報の対応するインジケータの周波数ロケーションと整合することを指示する、請求項１に記載の方法。
【請求項３】
前記複数のＳＳＢ中に含まれる前記情報が、システム情報の前記対応するインジケータの周波数ロケーションを指示する、請求項１に記載の方法。
【請求項４】
前記複数のＳＳＢの各々中に含まれる前記情報は、システム情報の前記対応するインジケータの周波数ロケーションを、前記対応するＳＳＢがその上で送られるサブキャリアに対する、または統合された参照周波数に対する周波数オフセットを通して、指示する、請求項１に記載の方法。
【請求項５】
前記複数のＳＳＢの各々中に含まれる前記情報が、システム情報の前記対応するインジケータの周波数ロケーションを、システム情報の前記インジケータのグリッド番号を通して指示する、請求項１に記載の方法。
【請求項６】
前記複数のＳＳＢが、同じタイムスロット中でブロードキャストされる、請求項１から５のいずれか一項に記載の方法。
【請求項７】
前記複数のＳＳＢが、異なるビームフォーミング方向を用いて送られる、請求項６に記載の方法。
【請求項８】
前記方法が、
データおよびＳＳＢ送信の開始として使用されるシンボルについて、データ送信とＳＳＢ送信の両方に対してリッスンビフォアトーク（ＬＢＴ：ｌｉｓｔｅｎ  ｂｅｆｏｒｅ  ｔａｌｋ）を実施すること
をさらに含む、請求項１から７のいずれか一項に記載の方法。
【請求項９】
同じキャリア中でブロードキャストされた前記複数のＳＳＢが、同じタイムスロット中にある、請求項１から８のいずれか一項に記載の方法。
【請求項１０】
無線通信システムにおける同期のための方法であって、
端末デバイスによって、同じキャリアに属するサブキャリアのそれぞれのセット上で、複数のＳＳＢを受信することと、
前記同じキャリア中の前記受信された複数のＳＳＢのうちの少なくとも１つ中に含まれる情報を復号することと、
前記復号された情報に従って、システム情報のインジケータを決定することと
を含む、方法。
【請求項１１】
前記同じキャリアに属する複数のＳＳＢを受信することは、
少なくとも１つのＳＳＢが検出されたとき、近い周波数において別のＳＳＢを探索することを、成功するまで続けることと、
検出された前記ＳＳＢが前記同じキャリア上で送られたかどうかを判定することと
を含む、請求項１０に記載の方法。
【請求項１２】
検出された前記ＳＳＢが前記同じキャリア上で送られたかどうかを判定することは、
前記検出されたＳＳＢが同じプランニングチャネル中にあるかどうかを検査することと、
前記検出されたＳＳＢから検出されたセル識別情報が同じであるかどうかを判定することと
のうちの１つまたは複数を含む、請求項１１に記載の方法。
【請求項１３】
システム情報のインジケータを決定することは、
それぞれ、前記受信された複数のＳＳＢの各々の復号された情報に従って、システム情報の前記インジケータを決定すること、
前記受信された複数のＳＳＢの各々の復号された情報に従って、システム情報の前記インジケータを決定すること、
前記受信された複数のＳＳＢのうちのいずれか１つの復号された情報に従って、システム情報の前記インジケータを決定すること、または
前記受信された複数のＳＳＢの前記復号された情報が同じ参照周波数を有するとき、前記復号された情報の合成を実施し、前記合成された情報に従って、システム情報の前記インジケータを決定すること
を含む、請求項１０から１２のいずれか一項に記載の方法。
【請求項１４】
前記同じキャリアに属する複数のＳＳＢを受信することが、同じタイムスロットにおいてである、請求項１０から１３のいずれか一項に記載の方法。
【請求項１５】
プロセッサとメモリとを備えるネットワークデバイスであって、前記メモリが、前記プロセッサによって実行可能な命令を含んでおり、それにより、前記ネットワークデバイスが、請求項１から９のいずれか一項に記載の、無線通信システムにおける同期のための方法を実施するように動作可能である、ネットワークデバイス。
【請求項１６】
プロセッサとメモリとを備える端末デバイスであって、前記メモリが、前記プロセッサによって実行可能な命令を含んでおり、それにより、前記端末デバイスが、請求項１０から１４のいずれか一項に記載の、無線通信システムにおける同期のための方法を実施するように動作可能である、端末デバイス。
【請求項１７】
コンピュータ可読記憶媒体上に有形に記憶されたコンピュータプログラム製品であって、ネットワークデバイスのプロセッサ上で実行されたとき、前記ネットワークデバイスに、請求項１から９のいずれか一項に記載の、無線通信システムにおける同期のための方法を実施させる命令を含む、コンピュータプログラム製品。
【請求項１８】
コンピュータ可読記憶媒体上に有形に記憶されたコンピュータプログラム製品であって、端末デバイスのプロセッサ上で実行されたとき、前記端末デバイスに、請求項１０から１４のいずれか一項に記載の、無線通信システムにおける同期のための方法を実施させる命令を含む、コンピュータプログラム製品。
【発明の詳細な説明】
【技術分野】
【０００１】
本開示の実施形態は、一般に通信の分野に関し、より詳細には、無線通信システムにおける同期のための方法およびデバイスに関する。
【背景技術】
【０００２】
このセクションは、本開示のより良い理解を容易にし得る態様を紹介する。したがって、このセクションの記述は、この観点において読み取られるべきであり、従来技術にあるものまたは従来技術にないものに関する承認として理解されるべきでない。
【０００３】
モバイルブロードバンドは、無線アクセスネットワークにおける大きい全体的なトラフィック容量と巨大な達成可能なエンドユーザデータレートとに対するいくつかの需要を高め続けるであろう。将来におけるいくつかのシナリオが、ローカルエリアにおいて最高１０Ｇｂｐｓのデータレートを必要とし得る。極めて高いシステム容量と極めて高いエンドユーザデータレートとに対するこれらの需要は、屋内展開での数メートルから屋外展開でのほぼ５０ｍまでにわたるアクセスノード間の距離をもつ、すなわち、密度が現在の最も密なネットワークよりもかなり高いインフラストラクチャをもつ、ネットワークによって満たされ得る。
【０００４】
そのようなネットワークは、第３世代パートナーシッププロジェクト（３ＧＰＰ）において現在研究されている、新しい無線（ＮＲ）システムと見なされる。旧来のライセンス済み専用帯域のほかに、ＮＲシステムは、特に企業ソリューションのために未ライセンス帯域上でも動作していることが予想される。
【０００５】
主要な静的および周期的同期信号と最小システム情報の部分とを含む同期信号（ＳＳ）ブロックが、最新のＮＲ規格化において「ＳＳブロック」または「ＳＳＢ」と規定され、称される。ＳＳブロック中には、１次同期信号（ＰＳＳ）と第２の同期信号（ＳＳＳ）とが、ダウンリンク同期を与えるために常に含まれ得る。さらに、最小システム情報の部分も、現在の３ＧＰＰ議論および同意に従って、物理ブロードキャストチャネル（ＰＢＣＨ）としてＳＳブロック中で配信され得る。
【発明の概要】
【０００６】
ＳＳブロック送信の既存のソリューションでは、ＳＳブロック送信のための１つのフォーマットは、ライセンス済み帯域中のキャリア内で同時に１つのＳＳブロックのみが送られるというものである。しかしながら、このフォーマットは、キャリアの占有帯域幅が比較的低く、ＳＳブロックのための送信電力が低いので、未ライセンス帯域中のスペクトルリソースの公平な共有に対する需要を満たさないことがあることがわかっている。
【０００７】
上記の問題の少なくとも一部を解決するために、方法、装置、デバイスおよびコンピュータプログラムが、本開示において提供される。本開示の実施形態が、ＮＲネットワークにおいて動作する無線システムに限定されず、同様の問題が存在する任意の適用例シナリオに、より広範囲に適用され得ることが諒解され得る。
【０００８】
本開示の様々な実施形態は、主に、たとえば共有周波数帯域中の、送信機と受信機との間の送信を制御するための方法、デバイス、およびコンピュータプログラムを提供することを目的とする。送信機および受信機のいずれかが、たとえば、端末デバイスまたはネットワークデバイスであり得る。また、本開示の実施形態の他の特徴および利点は、例として、本開示の実施形態の原理を例示する、添付の図面とともに読めば、特定の実施形態の以下の説明から理解されよう。
【０００９】
概して、本開示の実施形態は、無線通信システムにおける同期のためのソリューションを提供する。実施形態では、スペクトルリソースの公平な共有に対する需要が満たされ得るように、同じキャリア中の複数のＳＳＢが同時に送信される。
【００１０】
第１の態様では、無線通信システムにおける同期のための方法が提供される。本方法は、同じキャリア内で複数の同期信号ブロック（ＳＳＢ：ｓｙｎｃｈｒｏｎｉｚａｔｉｏｎ  ｓｉｇｎａｌ  ｂｌｏｃｋ）をブロードキャストすることであって、複数のＳＳＢの各々が、サブキャリアの異なるセット上で送られる、複数のＳＳＢをブロードキャストすることと、複数のＳＳＢ中に含まれる情報に従って、システム情報のインジケータをブロードキャストすることとを含む。
【００１１】
一実施形態では、複数のＳＳＢ中に含まれる情報は、対応するＳＳＢの周波数ロケーションが、システム情報の対応するインジケータの周波数ロケーションと整合することを指示する。
【００１２】
一実施形態では、複数のＳＳＢの各々中に含まれる情報は、システム情報の対応するインジケータの周波数ロケーションを、対応するＳＳＢがその上で送られるサブキャリアに対する、または統合された参照周波数に対する周波数オフセットを通して、指示する。
【００１３】
一実施形態では、複数のＳＳＢの各々中に含まれる情報は、システム情報の対応するインジケータの周波数ロケーションを、システム情報のインジケータのグリッド番号を通して指示する。
【００１４】
一実施形態では、複数のＳＳＢは、同じタイムスロット中でブロードキャストされる。さらなる実施形態では、それらのＳＳＢは、異なるビームフォーミング方向を用いて送られる。
【００１５】
一実施形態では、本方法は、データおよびＳＳＢ送信の開始として使用されるシンボルについて、データ送信とＳＳＢ送信の両方に対してリッスンビフォアトーク（ＬＢＴ：ｌｉｓｔｅｎ  ｂｅｆｏｒｅ  ｔａｌｋ）を実施することをさらに含み得る。
【００１６】
第２の態様では、無線通信システムにおける同期のための方法が提供される。本方法は、同じキャリアに属するサブキャリアのそれぞれのセット上で、複数のＳＳＢを受信することと、同じキャリア中の受信された複数のＳＳＢのうちの少なくとも１つ中に含まれる情報を復号することと、復号された情報に従って、システム情報のインジケータを決定することとを含む。
【００１７】
一実施形態では、同じキャリアに属する複数のＳＳＢを受信することは、少なくとも１つのＳＳＢが検出されたとき、近い周波数中の別のＳＳＢを探索することを続けることと、検出されたＳＳＢが同じキャリア上で送られたかどうかを判定することとを含む。
【００１８】
一実施形態では、検出されたＳＳＢが同じキャリア上で送られたかどうかを判定することは、検出されたＳＳＢが同じプランニングチャネル中にあるかどうかを検査する（ｃｈｅｃｋ）ことと、検出されたＳＳＢから検出されたセル識別情報が同じであるかどうかを判定することとのうちの１つまたは複数を含む。
【００１９】
一実施形態では、システム情報のインジケータを決定することは、それぞれ、受信された複数のＳＳＢの各々の復号された情報に従って、システム情報のインジケータを決定すること、されたＳＳＢの各々の復号された情報に従って、システム情報のインジケータを決定すること、または、受信された複数のＳＳＢの復号された情報が同じ参照周波数を有するとき、復号された情報の合成を実施し、合成された情報に従って、システム情報のインジケータを決定することを含む。
【００２０】
第３の態様では、プロセッサとメモリとを含むネットワークデバイスが提供される。メモリは、プロセッサによって実行可能な命令を含んでおり、それにより、本ネットワークデバイスは、同じキャリア内で複数の同期信号ブロック（ＳＳＢ）をブロードキャストすることと、複数のＳＳＢ中に含まれる情報に従って、システム情報のインジケータをブロードキャストすることとを行うように動作可能である。複数のＳＳＢの各々が、サブキャリアの異なるセット上で送られる。
【００２１】
第４の態様では、プロセッサとメモリとを含む端末デバイスが提供される。メモリは、プロセッサによって実行可能な命令を含んでおり、それにより、本端末デバイスは、同じキャリアに属するサブキャリアのそれぞれのセット上で、複数のＳＳＢを受信することと、同じキャリア中の複数のＳＳＢのうちの少なくとも１つ中に含まれる情報を復号することと、復号された情報に従って、システム情報のインジケータを決定することとを行うように動作可能である。
【００２２】
第５の態様では、通信システムが提供される。本システムは、端末デバイスとネットワークデバイスとを含み、ネットワークデバイスは、同じキャリア内で複数の同期信号ブロック（ＳＳＢ）をブロードキャストすることと、複数のＳＳＢ中に含まれる情報に従って、システム情報のインジケータをブロードキャストすることとを行うように設定され、複数のＳＳＢの各々が、サブキャリアの異なるセット上で送られる。
【００２３】
端末デバイスは、同じキャリアに属するサブキャリアのそれぞれのセット上で、複数のＳＳＢを受信することと、同じキャリア中の複数のＳＳＢのうちの少なくとも１つ中に含まれる情報を復号することと、復号された情報に従って、システム情報のインジケータを決定することとを行うように設定される。
【００２４】
本開示の様々な実施形態によれば、同じキャリア中の複数のＳＳＢが、周波数分割多重化（ＦＤＭ）に関して同時に送信される。したがって、スペクトルリソースの公平な共有に対する需要が満たされ得る。
【００２５】
本開示の様々な実施形態の上記および他の態様、特徴、および利益が、例として、同様の参照番号または文字が同様の要素または等価要素を指定するために使用される、添付の図面を参照しながら、以下の発明を実施するための形態から、より十分に明らかになろう。図面は、本開示の実施形態のより良い理解を容易にするために例示されており、必ずしも一定の縮尺で描かれているとは限らない。
【図面の簡単な説明】
【００２６】
【図１】無線通信ネットワーク１００の概略図である。
【図２】無線通信システムにおける同期のための方法２００を示す図である。
【図３】本開示の一実施形態による、複数のＳＳＢをブロードキャストすることの一例を示す図である。
【図４】システム情報のインジケータの周波数ロケーションの一例を示す図である。
【図５】システム情報のインジケータの周波数ロケーションの別の例を示す図である。
【図６】システム情報のインジケータの周波数ロケーションの別の例を示す図である。
【図７】無線通信システムにおける同期のための方法７００を示す図である。
【図８】実施形態における候補送信開始ポイントのための一例を示す図である。
【図９】実施形態におけるＬＢＴベースＳＳＢ送信のための一例を示す図である。
【図１０】本開示の一実施形態による、無線通信システムにおける同期のための方法９００のフローチャートを示す図である。
【図１１】実施形態における、無線通信システムにおける同期のための一例を示す図である。
【図１２】本開示の一実施形態による、無線通信システムにおける同期のための装置のブロック図である。
【図１３】本開示の一実施形態による、無線通信システムにおける同期のための装置のブロック図である。
【図１４】本開示の実施形態を実装するのに好適であるデバイスの簡略ブロック図である。
【発明を実施するための形態】
【００２７】
次に、いくつかの例示的な実施形態を参照しながら、本開示が論じられる。これらの実施形態は、本開示の範囲に対する限定を示唆するのではなく、当業者が、本開示をより良く理解し、したがって実装することを可能にする目的で論じられるにすぎないことを理解されたい。
【００２８】
本明細書で使用される「無線通信ネットワーク」という用語は、ＬＴＥアドバンスト（ＬＴＥ−Ａ）、ＬＴＥ、広帯域符号分割多元接続（ＷＣＤＭＡ）、高速パケットアクセス（ＨＳＰＡ）など、任意の好適な通信規格に従うネットワークを指す。さらに、無線通信ネットワークにおける端末デバイスとネットワークデバイスとの間の通信は、限定はしないが、第１世代（１Ｇ）通信プロトコル、第２世代（２Ｇ）通信プロトコル、２．５Ｇ通信プロトコル、２．７５Ｇ通信プロトコル、第３世代（３Ｇ）通信プロトコル、第４世代（４Ｇ）通信プロトコル、４．５Ｇ通信プロトコル、将来の第５世代（５Ｇ）通信プロトコルを含む、任意の好適な世代の通信プロトコル、および／または現在知られているかまたは将来において開発されることになる任意の他のプロトコルに従って実施され得る。
【００２９】
「ネットワークデバイス」という用語は、端末デバイスがそのデバイスを介して無線通信ネットワークにアクセスし、無線通信ネットワークからサービスを受ける、無線通信ネットワークにおけるデバイスを指す。ネットワークデバイスは、無線通信ネットワークにおける基地局（ＢＳ）、アクセスポイント（ＡＰ）、または任意の他の好適なデバイスを指す。ＢＳは、たとえば、ノードＢ（ノードＢまたはＮＢ）、エボルブドノードＢ（ｅノードＢまたはｅＮＢ）、または次世代ノードＢ（ｇＮＢ）、リモートラジオユニット（ＲＲＵ）、無線ヘッダ（ＲＨ）、リモート無線ヘッド（ＲＲＨ）、リレー、フェムト、ピコなどの低電力ノードなどであり得る。
【００３０】
ネットワークデバイスのまたさらなる例は、マルチスタンダード無線（ＭＳＲ）ＢＳなどのＭＳＲ無線機器、無線ネットワークコントローラ（ＲＮＣ）または基地局コントローラ（ＢＳＣ）などのネットワークコントローラ、基地トランシーバ局（ＢＴＳ）、送信ポイント、送信ノードを含み得る。しかしながら、より一般的には、ネットワークデバイスは、無線通信ネットワークへの端末デバイスアクセスを可能にし、および／または与え、または、無線通信ネットワークにアクセスした端末デバイスに何らかのサービスを与えることが可能な、そうするように設定された、構成された、および／または動作可能な任意の好適なデバイス（またはデバイスのグループ）を表し得る。
【００３１】
「端末デバイス」という用語は、無線通信ネットワークにアクセスし、無線通信ネットワークからサービスを受けることができる、任意のエンドデバイスを指す。限定ではなく例として、端末デバイスは、モバイル端末、ユーザ機器（ＵＥ）、または他の好適なデバイスを指す。ＵＥは、たとえば、加入者局（ＳＳ）、ポータブル加入者局、移動局（ＭＳ）、またはアクセス端末（ＡＴ）であり得る。端末デバイスは、限定はしないが、ポータブルコンピュータ、デジタルカメラなどの画像キャプチャ端末デバイス、ゲーミング端末デバイス、音楽記憶および再生器具、モバイルフォン、セルラーフォン、スマートフォン、タブレット、ウェアラブルデバイス、携帯情報端末（ＰＤＡ）、車両などを含み得る。
【００３２】
「ネットワークデバイス」および「端末デバイス」などの用語は、非限定的であると見なされるべきであり、その２つの間のある階層関係を特に暗示せず、概して、「ネットワークデバイス」はデバイス１と見なされ得、「端末デバイス」はデバイス２と見なされ得、これらの２つのデバイスは何らかの無線チャネル上で互いと通信する。
【００３３】
本明細書で使用される「第１の」および「第２の」という用語は、異なる要素を指す。単数形「ａ」および「ａｎ」は、コンテキストが別段に明確に示すのでなければ、複数形をも含むものとする。本明細書で使用される「備える、含む（ｃｏｍｐｒｉｓｅｓ）」、「備える、含む（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」という用語は、述べられた特徴、要素、および／または構成要素などの存在を指定するが、１つまたは複数の他の特徴、要素、構成要素および／またはそれらの組合せの存在または追加を排除しない。「に基づいて」という用語は、「に少なくとも部分的に基づいて」として読み取られるべきである。「一実施形態（ｏｎｅ  ｅｍｂｏｄｉｍｅｎｔ）」および「一実施形態（ａｎ  ｅｍｂｏｄｉｍｅｎｔ）」という用語は、「少なくとも１つの実施形態」として読み取られるべきである。「別の実施形態」という用語は、「少なくとも１つの他の実施形態」として読み取られるべきである。明示的および暗黙的な他の規定が、以下で含まれ得る。
【００３４】
本開示では３ＧＰＰ  ＮＲからの用語が使用されているが、このことは、本開示の範囲を上述のシステムのみに限定するべきではない。他の無線システムも、本開示内でカバーされるアイデアを活用することから恩恵を受け得る。
【００３５】
本開示では、すべてのこれらの実施形態は、ライセンス済み動作などの他の使用事例のために使用され得るが、本開示は、ＮＲ未ライセンス動作について動機を与えられる。
【００３６】
次に、図面を参照しながら、本開示のいくつかの例示的な実施形態が以下で説明される。
【００３７】
図１は、無線通信ネットワーク１００の概略図を示す。図１は、無線通信ネットワークにおけるネットワークデバイス１０１と端末デバイス１０２とを示す。図１の例では、ネットワークデバイス１０１は、端末デバイス１０２にサービスを提供し得る。ネットワークデバイス１０１と端末デバイス１０２との間のトラフィックは、ＵＲＬＬＣ（超高信頼低遅延通信）トラフィック、ｅＭＢＢ（拡張モバイルブロードバンド）トラフィック、またはｍＭＴＣ（大規模マシン型通信）トラフィックなどであり得る。
【００３８】
図１の設定は、本開示の範囲に関する限定を示唆することなしに、例示の目的で説明されるにすぎないことを理解されたい。無線通信ネットワーク１００が任意の好適な数の端末デバイスおよび／またはネットワークデバイスを含み得、他の好適な設定を有し得ることを、当業者は諒解されよう。
【００３９】
実施形態の第１の態様
無線通信システムにおける同期のための方法が、一実施形態において提供される。本方法は、一例としてネットワークデバイスにおいて実装される。
【００４０】
図２は、本開示の一実施形態による、無線通信システムにおける同期のための方法２００を示す図であり、一例としてネットワークデバイスをとることによって、無線通信システムにおける同期のための方法を示す。
【００４１】
図２に示されているように、方法２００は、ブロック３０１において、同じキャリア内で同じタイムスロット中で複数の同期信号ブロック（ＳＳＢ）をブロードキャストすることを含む。複数のＳＳＢの各々は、異なるサブキャリア上で送られるか、またはより正確には、ＳＳＢ送信のために必要な帯域幅がサブキャリアの帯域幅よりも大きくなり得るので、複数のＳＳＢの各々は、サブキャリアの異なるセット上で送られる。
【００４２】
一実施形態では、ネットワークデバイスのキャリアは、キャリア上で機能しているセルに対応し得る。ただし、これに限定されない。さらに、ＳＳＢは未ライセンス帯域中で送信され得るが、これに限定されず、たとえば、ＳＳＢはライセンス済み帯域中でも送信され得る。
【００４３】
一実施形態では、スペクトルリソースの公平な共有に対する需要が、同じキャリア内で同じタイムスロットにおいて複数のＳＳＢを送信することによって満たされ得る。
【００４４】
一実施形態では、同じキャリア中の複数のＳＳＢがＮＲ帯域中で送られるとき、複数のＳＳＢは、ＮＲ帯域が未ライセンス帯域であるのかライセンス済み帯域であるのかにかかわらず、１つのＳＳＢよりも多くのチャネル帯域幅を占有し得る。
【００４５】
たとえば、（キャリア帯域幅と呼ばれることもある）キャリアのための２０ＭＨｚ帯域幅があることと、３０ｋＨｚサブキャリア間隔をもつ（ＳＳＢ帯域幅と呼ばれることもある）ＳＳＢのための４．３２ＭＨｚ帯域幅があることとが、仮定される。１つのＳＳＢのみがキャリア中で設定された場合、１つのＳＳＢによる占有チャネル帯域幅についての比は、４．３２／２０＝２１．６％＜８０％であり、一例として、ＥＴＳＩ  ３０１  ８９３による、５ＧＨｚキャリアに対して執行される「占有チャネル帯域幅」としての規制要件の一態様。一方、４つのＳＳＢが同じキャリア中で設定された場合、４つのＳＳＢによる占有チャネル帯域幅についての比は、４．３２＊４／２０＝８６．４％＞８０％である。したがって、キャリア中の複数のＳＳＢについての比は、キャリア中の１つＳＳＢについての比よりも高く、占有チャネル帯域幅の規制要件が満足させられ得る。
【００４６】
本実施形態では、複数のＳＳＢのための送信電力は、占有チャネル帯域幅についての比がより高いことにより、１つのＳＳＢのための送信電力よりも大きいが、電力スペクトル密度（ＰＳＤ：ｐｏｗｅｒ  ｓｐｅｃｔｒａｌ  ｄｅｎｓｉｔｙ）が限定される。ＰＳＤは、帯域幅単位ごとの平均送信電力である。１つのＳＳＢのみが、同じタイムスロットにおいてキャリア中で送られる場合、最大電力スペクトル密度がネットワークシステムによる必要に応じて限定されるとき、たとえば、最大ＰＳＤ要件が、５ＧＨｚおよび３．５ＧＨｚについてＵＳ規制において執行されるとき、ＳＳＢ送信電力は低くなり、その結果、ＳＳＢの検出および復号が信頼できなくなる。ＳＳＢが１回で検出され得ない場合、端末は、同期するために長い時間待たなければならず、これは、初期アクセス遅延を増加させる。その上、ＳＳＢ送信電力が低いとき、他のノードは、リッスンビフォアトークを実施したときにＳＳＢ送信のためのチャネルがアイドルであると決定し、したがって、同時に送信し得る。その場合、結果として生じる送信は、大きい干渉を受け得る。
【００４７】
たとえば、単一ＳＳブロック送信のＰＳＤは、１３Ｗ／Ｈｚである。キャリア内で同時に送信された２つのＳＳブロックがある場合、和は、たとえば、１６Ｗ／Ｈｚであり、これは、検出および復号にとってより容易である。したがって、同じキャリア内の同じスロット中の複数のＳＳＢの送信が適用されるが、ＰＳＤ要件を超えないとき、複数のＳＳＢの検出および復号はより信頼できるようになり、したがって、初期アクセス遅延が減少され得る。その上、結果として生じる送信は、受ける干渉が少なくなり得る。
【００４８】
本実施形態では、図２に示されているように、方法２００は、ブロック２０２において、複数のＳＳＢ中に含まれる情報に従って、システム情報のインジケータをブロードキャストすることをさらに含む。
【００４９】
本実施形態では、ブロック２０２により、システム情報が、（端末デバイスなどの）受信デバイスにおいてシステム情報のインジケータに従って見つけられ得る。
【００５０】
本実施形態では、システム情報のインジケータは、システム情報ブロックのロケーションを指示し得る。システム情報のインジケータは、共通探索空間または物理ダウンリンク制御チャネル（ＰＤＣＣＨ）を指示し得る。代替的に、システム情報のインジケータは、システム情報ブロック（ＳＩＢ）自体でもあり得る。
【００５１】
さらなる実施形態では、システム情報がそれに従って見つけられる複数のＳＳＢ中に含まれる情報は、複数のＳＳＢの各々中のＰＢＣＨであり得、ＰＢＣＨは、システム情報のインジケータの周波数ロケーションを指示する。代替的に、複数のＳＳＢ中に含まれる情報は、システム情報のインジケータの時間オフセット情報をも含み得る。
【００５２】
一実施形態では、１次同期信号（ＰＳＳ）および／または第２の同期信号（ＳＳＳ）が、ダウンリンク同期を与えるためにＳＳＢ中に含まれ得る。
【００５３】
図３は、本開示の一実施形態による、複数のＳＳＢをブロードキャストすることの一例を示す図である。
【００５４】
図３に示されているように、ＳＳＢ  １〜ＳＳＢ  Ｎは、（シンボル／サブフレーム／フレームなどでもあり得る）同じタイムスロットにおいてブロードキャストされ得、ＳＳＢ  １〜ＳＳＢ  Ｎは同じキャリアに属し、ＳＳＢ  １〜ＳＳＢ  Ｎの各々は、異なるサブキャリア上で送られ、すなわち、ＳＳＢ  １〜ＳＳＢ  Ｎは、周波数分割多重化（ＦＤＭ）によって送られ得る。Ｎは整数であり、Ｎ＞１である。図３中の軸Ｘが時間領域を表し、軸Ｙが周波数領域を表す。時間領域では、異なるタイムスロット中の複数のＳＳブロックをもつＳＳバーストセットであり得、異なるタイムスロットは、連続するか、または交差していることがある。周波数領域では、複数のＳＳブロックが、同じタイムスロット中でブロードキャストされる。本実施形態では、各ＳＳＢの中心周波数は、（ＵＥなどの）受信デバイスがその中心周波数を検出し得るように、ＳＳ周波数ラスタルールを満たし得る。
【００５５】
本実施形態では、複数のＳＳＢの各々中で、同じＰＳＳおよび／または同じＳＳＳが使用され得、情報は、各ＳＳＢの開始時間ポイントを指示するために使用され、その結果、受信デバイスは、（シンボル／スロット／サブフレーム／フレームなどの）時間単位の境界に同期し得る。ＮＲでは、ＳＳＢは、ＬＴＥとしての固定されたシンボル、すなわちシンボル０または５から開始されないことがある。したがって、時間インデックス情報は、ＵＥがスロット境界に同期することができるように、このＳＳＢがどのシンボルから開始しているかを指示する必要がある。
【００５６】
本実施形態では、システム情報のインジケータの時間オフセット情報は、複数のＳＳブロック（すなわちＳＳＢ  １およびＳＳＢ  ２）中で同じであり得る。
【００５７】
一実施形態では、システム情報のインジケータの周波数ロケーションが、多くの様式を使用することによって指示され得る。以下の説明では、説明するための例として２つのＳＳＢがとられ得るが、これに限定され、キャリア中のＳＳＢは、他の実施形態では３つ以上であり得る。
【００５８】
一例として、各ＳＳＢの周波数ロケーションは、システム情報のインジケータの周波数と整合し得、その結果、各ＳＳＢの周波数ロケーションは、システム情報のインジケータの周波数ロケーションを暗黙的に伝達し得る。
【００５９】
図４は、システム情報のインジケータの周波数ロケーションの一例を示す図である。
【００６０】
図４に示されているように、ＳＳＢ  １およびＳＳＢ  ２の中心周波数は、それぞれ、システム情報４０１およびシステム情報４０２の対応するインジケータと整合する。システム情報４０１のインジケータとシステム情報４０２のインジケータは両方とも、システム情報ブロック（ＳＩＢ）のロケーションを指示し、その結果、ＵＥは、ＰＤＣＣＨまたは共通探索空間の周波数ロケーションを、ブロードキャスティングチャネル上で受信された複数のＳＳＢを通して得ることができ、したがって、システム情報を得るためにＳＩＢのロケーションを取得し、同期を実施する。
【００６１】
本実施形態では、図４に示されているように、システム情報の複数の探索インジケータが利用可能であり得る。
【００６２】
一実施形態では、異なる周波数ロケーションにおける異なるＳＳＢが、独立して、システム情報のインジケータの周波数ロケーションを指示し得る。
【００６３】
たとえば、複数のＳＳＢの各々は、システム情報のインジケータの周波数ロケーションを、異なる参照周波数に対する周波数オフセットを通して指示する。異なる参照周波数は、複数のＳＳＢの各々がその上で送られるサブキャリアの周波数であり得る。
【００６４】
図５は、システム情報のインジケータの周波数ロケーションの別の例を示す図である。
【００６５】
図５に示されているように、ＳＳＢ  １についての参照周波数Ｆ１は、ＳＳＢ  １がその上で送られるサブキャリアの中心周波数であり得、Ｆ１に対するシステム情報のインジケータ５０１の周波数オフセットが、Ｆ＿ｏｆｆ  １として示されている。Ｆ＿ｏｆｆ  １は、ＳＳＢ  １中に、たとえばＳＳＢ  １のＰＢＣＨ中に含まれ得る。
【００６６】
この例では、ＳＳＢ  ２についての参照周波数Ｆ２は、ＳＳＢ  ２がその上で送られるサブキャリアの中心周波数であり得、Ｆ２に対するシステム情報のインジケータ５０１の周波数オフセットが、Ｆ＿ｏｆｆ  ２として示されている。Ｆ＿ｏｆｆ  ２は、ＳＳＢ  ２中に、たとえばＳＳＢ  ２のＰＢＣＨ中に含まれ得る。
【００６７】
本実施形態では、図５に示されているように、システム情報の１つの探索インジケータが必要とされるであろう。
【００６８】
一実施形態では、異なる周波数ロケーションにおける異なるＳＳＢが、システム情報のインジケータの周波数ロケーションを、同じ周波数オフセットを通して指示し得る。
【００６９】
たとえば、複数のＳＳＢの各々は、システム情報のインジケータの周波数ロケーションを、統合された参照周波数に対する周波数オフセットを通して指示する。
【００７０】
図６は、システム情報のインジケータの周波数ロケーションの別の例を示す図である。
【００７１】
図６に示されているように、Ｆ１は、ＳＳＢ  １がその上で送られるサブキャリアのセットの中心周波数であり、Ｆ２は、ＳＳＢ  ２がその上で送られるサブキャリアのセットの中心周波数であり、Ｒｆは、統合された参照周波数であり、Ｒｆに対するシステム情報のインジケータ６０１の周波数オフセットが、Ｆ＿ｏｆｆｓｅｔとして示されている。Ｆ＿ｏｆｆｓｅｔは、ＳＳＢ  １およびＳＳＢ  ２中に、たとえばＳＳＢ  １のＰＢＣＨおよびＳＳＢ  ２のＰＢＣＨ中に含まれ得る。
【００７２】
本実施形態では、統合された参照周波数Ｒｆは、複数のＳＳＢの周波数ロケーションに基づく関数に従って計算され得る。各ＳＳＢの周波数ロケーションは、ＳＳＢがその上で送られるサブキャリアの中心周波数であり得る。
【００７３】
一例として、関数は、Ｒｆ＝ｆ（Ｆ１，．．．，Ｆｉ，．．．，ＦＭ）として表され得、ここで、Ｆｉは、ｉ番目のＳＳＢの周波数ロケーションである。たとえば、関数は、Ｒｆ＝（Ｆ１＋．．．＋Ｆｉ＋．．．＋ＦＭ）／Ｍであり得る。別の例では、参照周波数Ｒｆは、図６に示されているように、上部のＳＳＢおよび下部のＳＳＢについての中間周波数であり、すなわち、Ｒｆ＝（Ｆ１＋ＦＭ）／２であり得る。Ｒｆの式はこれに限定されず、実際のシナリオに従って他の様式が採用され得ることを諒解されたい。
【００７４】
図５における例と比較した図６における例の利益は、周波数オフセットが同じであり、その結果、ＵＥ側によってＰＢＣＨを復号するためのソフト合成が可能であり、したがって、ソフト合成が、信頼性を増加させ得るということにあり得る。
【００７５】
一実施形態では、複数のＳＳＢ中のシステム情報のインジケータの絶対周波数ロケーションが使用され得る。
【００７６】
たとえば、キャリア帯域は、基本帯域グリッドを用いて番号を付けられ得る。周波数ロケーションに対応するグリッド番号がセットされ得る。本実施形態では、システム情報のインジケータの周波数ロケーションは、グリッド番号を通して指示され得る。グリッド番号は、各ＳＳＢのＰＢＣＨ中に挿入され得る。１つのＳＳＢが検出されると、周波数ロケーション、すなわち、システム情報のインジケータの中心が、受信機によってグリッド番号から導出され得る。
【００７７】
上記の例または実施形態のいずれか１つまたはそれらの組合せが、システム情報のインジケータの周波数ロケーションを指示するために使用され得ることを諒解されたい。ただし、これに限定されず、たとえば、実際のシナリオに従って他の例または様式が使用され得る。
【００７８】
一実施形態では、同じスロット中の複数のＳＳＢは、デジタルまたはハイブリッドビームフォーミングが利用可能であるとき、異なるビームフォーミング方向を用いて送られ得る。
【００７９】
一実施形態では、データ送信とＳＳＢ送信の両方に対して、リッスンビフォアトーク（ＬＢＴ）が実施され得る。
【００８０】
図７は、本開示の一実施形態による、無線通信システムにおける同期のための方法７００を示す図であり、一例としてネットワークデバイスをとることによって、無線通信システムにおける同期のための方法を示す。
【００８１】
図７に示されているように、無線通信システムにおける同期のための方法７００は、ブロック７０３において、データおよびＳＳＢ送信の開始として使用されるシンボルについて、データ送信とＳＳＢ送信の両方に対してリッスンビフォアトーク（ＬＢＴ）を実施することを含む。
【００８２】
図７に示されているように、方法７００は、ブロック７０２において、同じキャリア内で同じタイムスロット中で複数の同期信号ブロック（ＳＳＢ）をブロードキャストすることをさらに含む。複数のＳＳＢの各々が、サブキャリアの異なるセット上で送られる。
【００８３】
図７に示されているように、方法７００は、ブロック７０３において、複数のＳＳＢ中に含まれる情報に従って、システム情報のインジケータをブロードキャストすることをさらに含み得る。
【００８４】
一実施形態では、ＬＢＴが成功した後に、ＳＳＢ送信が実施されるべきである。たとえば、ＳＳＢ送信を進めるために、２５μｓの短いクリアチャネルアセスメント（ＣＣＡ）が実施される必要がある。また、たとえば特定の端末デバイスへの同時データ送信が必要である場合、データ送信に対するＬＢＴも、場合によってはより長い時間期間において、およびＳＳＢ  ＬＢＴに対するＣＣＡと少なくとも部分的に重複して、実施されることになる。データ送信に対するＬＢＴとＳＳＢ送信に対するＬＢＴとが両方とも成功するまで、データおよびＳＳＢが多重化されることになる。次いで、複数のＳＳＢがブロードキャストチャネル上で送られ、データがデータチャネル上で送られる。
【００８５】
本実施形態では、ＳＳＢ送信は、スロット境界のみではなく、いくつかのシンボルにおいて開始され得る。また、データ送信は、デバイスがミニスロットを伴って設定された場合、スロットの内部で開始され得る。
【００８６】
ＳＳＢ送信およびデータ送信のこれらの特徴の利用によって、ブロック７０１は、リソース効率を増加させながらできるだけ早くＳＳＢ送信成功を確実にするために実施され得る。
【００８７】
本実施形態では、シンボルは、異なる種類に分割され得、すなわち、いくつかは、ミニスロットの設定をもつ（ＵＥなどの）いくつかの端末デバイスのためのデータ送信の開始として使用され得る。ＳＳブロック送信の場合、ＳＳブロック送信は、任意のシンボル中で送信され得る。
【００８８】
図８は、実施形態における候補送信開始ポイントのための一例を示す図である。図８に示されているように、ＵＥがミニスロットを伴って設定された場合、データ送信のための開始ポイントは、３番目のシンボルおよび５番目のシンボル中にあり得る。ＳＳＢ送信のための開始ポイントは、どのシンボル中にもあり得る。
【００８９】
一実施形態では、図８に示されているように、どのシンボルも、ＳＳＢ送信のための開始ポイントであり得るので、ＳＳＢ送信に対するＬＢＴは、どのシンボルについても実施され得る。たとえば、ＳＳＢ送信に対するＬＢＴは、２５μｓの短いＣＣＡであり得る。
【００９０】
本実施形態では、図８に示されているように、３番目のシンボルおよび５番目のシンボルが、データ送信のための開始ポイントであり得るので、データ送信に対するＬＢＴは、３番目のシンボルおよび５番目のシンボルについて実施され得る。データ送信に対するＬＢＴは、ｃａｔ４  ＬＢＴであり得、ｃａｔ４  ＬＢＴの詳細は、最新のＥＴＳＩ  ３０１  ８９３規制など、既存の方式が参照され得る。
【００９１】
一実施形態では、データ送信に対するＬＢＴが成功した場合、ＳＳＢがデータと多重化され得る。他の場合、ＳＳＢのみが送られ得る。
【００９２】
図９は、実施形態におけるＬＢＴベースＳＳＢ送信のための一例を示す図である。図９は、以下のブロックを含む。
【００９３】
ブロック９０１：ＳＳＢ送信タイマーがほぼ満了していると決定する。
【００９４】
ブロック９０２：バッファされたＵＥデータが利用可能であるかどうかを判定する。はいの場合、ブロック９０３に進み、いいえの場合、ブロック９０６に進む。
【００９５】
ブロック９０３：最も高い優先度を付けられたトラフィックをもつＵＥに対して、ｃａｔ４  ＬＢＴを開始する。
【００９６】
ブロック９０４：最も近い候補送信シンボルを検査する。
【００９７】
ブロック９０５：（ブロック９０４における）シンボルが、ＳＳＢ送信のみのためのものであるかどうかを判定する。はい、たとえば、４番目のシンボルである場合、ブロック９０６に進み、いいえ、たとえば、３番目のシンボルである場合、ブロック９１０に進む。
【００９８】
ブロック９０６：ＳＳＢ送信のための候補シンボルの前に、短いＣＣＡを開始する。
【００９９】
ブロック９０７：チャネルがアイドルであるかどうかを判定する。はいの場合、ブロック９０９に進み、いいえの場合、ブロック９０８に進む。
【０１００】
ブロック９０８：次の最も近い候補ＳＳＢ送信シンボルに進む。
【０１０１】
ブロック９０９：図２中のブロック２０１に従ってＳＳＢのみを送信し、図２中のブロック２０２に従ってシステム情報のインジケータを送信し、システム情報ブロックを順次送信する。
【０１０２】
ブロック９１０：シンボルの前に、ｃａｔ４と短いＣＣＡの両方を開始する。
【０１０３】
ブロック９１１：ＣＡＴ４  ＬＢＴが成功したかどうかを判定する。はいの場合、ブロック９１２に進み、いいえの場合、ブロック９１３に進む。
【０１０４】
ブロック９１２：データとともにＳＳＢを送信し、システム情報のインジケータを送信し、システム情報ブロックを順次送信する。
【０１０５】
ブロック９１３：短いＣＣＡが成功したかどうかを判定する。はいの場合、ブロック９０９に進み、いいえの場合、ブロック９０４に進む。
【０１０６】
図９は本開示の一例にすぎないが、これに限定されないことを諒解されたい。たとえば、ブロック９０１〜９１３における動作の順序は調整され得、および／またはいくつかのブロックは省略され得る。その上、図９に示されていないいくつかのブロックが追加され得る。
【０１０７】
上記の実施形態からわかるように、スペクトルリソースの公平な共有に対する需要は、同じキャリア内で同じタイムスロットにおいて複数のＳＳＢを送信することによって満たされ得る。その上、データ送信とＳＳＢ送信の両方に対するＬＢＴが、リソース効率を増加させながらできるだけ早くＳＳＢ送信成功を確実にするために実施され得る。
【０１０８】
実施形態の第２の態様
無線通信システムにおける同期のための方法が、一実施形態において提供される。本方法は、一例として端末デバイスにおいて実装され、実施形態の第１の態様における内容と同じ内容は、省略される。
【０１０９】
図１０は、本開示の一実施形態による、無線通信システムにおける同期のための方法１０００のフローチャートを示し、一例として端末デバイスをとることによって、無線通信システムにおける同期のための方法を示す。
【０１１０】
図１０に示されているように、方法１０００は、ブロック１００１において、端末デバイスによって、同じキャリアに属するサブキャリアのそれぞれのセット上で、同じタイムスロット中で複数のＳＳＢを受信することと、ブロック１００２において、同じキャリア中の複数のＳＳＢのうちの少なくとも１つ中に含まれる情報を復号することと、ブロック１００３において、復号された情報に従って、システム情報のインジケータを決定することとを含む。
【０１１１】
一実施形態では、ブロック１００１において、端末デバイスは、実施形態の第１の態様に従ってネットワークデバイスによってブロードキャストされた複数のＳＳＢを受信し得る。
【０１１２】
一実施形態では、端末デバイスは、複数のＳＳブロックを受信するだけでなく、受信されたＳＳＢのうちの少なくとも１つに従ってシステム情報のインジケータをも受信し、次いで、受信されたインジケータに従ってシステム情報をも受信し得る。
【０１１３】
図６に示されている状況において必要とされる可能性が高い、一実施形態では、ブロック１００１は、少なくとも１つのＳＳＢが検出されたとき、近い周波数において別の同時に受信されたＳＳＢを探索することを続けることと、見つけられたＳＳＢが同じキャリア上で送られたかどうかを判定することとを含む。
【０１１４】
一実施形態では、見つけられた、同時に受信されたＳＳＢが、同じキャリア上で送られたかどうかを検査するためのいくつかの様式があり得る。
【０１１５】
一例として、端末デバイスは、複数のＳＳＢが同じプランニングチャネル中にあるかどうかを検査し得る。たとえば、５ＧＨｚでは、各チャネルのためのプランニングがあり、結果として、複数のＳＳＢが同じプランニング２０ＭＨｚチャネル中にあるかどうかが決定され得る。
【０１１６】
別の例として、端末デバイスは、異なるＳＳブロックからのＰＨＹセル識別情報が同じであるかどうかを判定し得る。同じＰＨＹセルＩＤが、周波数領域中の小さいギャップを有する異なるＳＳＢから検出された場合、端末デバイスは、これらのＳＳＢが同じキャリア上で送られたと決定し得る。
【０１１７】
２つの例の各々または２つの例の両方が使用され得る。ただし、これに限定されず、他の実施形態または様式も使用され得る。
【０１１８】
別の実施形態では、端末デバイスが、１つまたは複数のＳＳＢが同じタイムスロット中で送られることを検査したとき、端末デバイスは、ｅＮＢによって同じキャリア中で同時にブロードキャストされた、複数のＳＳＢ中の他のＳＳＢを検査することを続ける必要がない。図４または図５によって示されている状況は、このソリューションに適合することができる。
【０１１９】
一実施形態では、ＰＢＣＨがＳＳＢ中に含まれる。システム情報のインジケータの周波数ロケーションが、ＰＢＣＨ中に含まれ得る。信号強度が十分に高くなく、検出された１つのＳＳＢが、復号するために十分でないことがあるとき、端末デバイスによって２つのＳＳＢが検出され、それら２つのＳＳＢのＰＢＣＨ中の情報は、復号するために十分である。システム情報のインジケータの時間オフセット情報、１次同期信号（ＰＳＳ）および／または第２の同期信号（ＳＳＳ）も、ダウンリンク同期を与えるためにＳＳＢ中に含まれ得る。
【０１２０】
一実施形態では、ブロック１００２において、端末デバイスは、同じキャリア中の複数のＳＳＢのうちの少なくとも１つ中に含まれる情報を復号し得る。たとえば、図３〜図６における例のいずれか１つが、同じキャリア中の複数のＳＳＢにおいて使用されたとき、複数のＳＳＢの各々中に含まれる情報が復号され得る。
【０１２１】
別の例では、図４〜図６における例のいずれか１つが、同じキャリア中の複数のＳＳＢにおいて使用されたとき、複数のＳＳＢの各々中に含まれる情報が、システム情報のインジケータの同じ周波数ロケーションを指示し得、したがって、１つのＳＳＢを復号することが十分であることになる。
【０１２２】
一実施形態では、システム情報のインジケータは、システム情報ブロックのロケーションを指示し得る。システム情報のインジケータは、共通探索空間またはＰＤＣＣＨであり得る。システム情報のインジケータは、システム情報ブロック（ＳＩＢ）自体でもあり得る。
【０１２３】
一実施形態では、ブロック１００３において、端末デバイスは、復号された情報に従ってシステム情報のインジケータを決定し得る。
【０１２４】
たとえば、同時に送られ、次いで検出された複数のＳＳＢの各々が、復号されたとき、端末デバイスは、それぞれ、複数のＳＳＢの各々の復号された情報に従って、システム情報のインジケータを見つけ得る。
【０１２５】
別の例では、図５における例または図６における例が、同じキャリア中の複数のＳＳＢにおいて使用されたとき、復号された情報は同じ参照周波数を有し、したがって、端末デバイスは、複数のＳＳＢから復号された情報のソフト合成を実施し、合成された情報に従って、システム情報のインジケータを見つけ得る。
【０１２６】
別の例では、復号情報を取得するために１つのＳＳＢのみが復号されたとき、端末デバイスは、復号された情報に従って、システム情報のインジケータを見つけ得る。
【０１２７】
図１１は、実施形態における、無線通信システムにおける同期のための一例を示す図である。図１１は、以下のブロックを含む。
【０１２８】
ブロック１１０１：ターゲット帯域中のＳＳＢを探索する。
【０１２９】
ブロック１１０２：ＳＳＢが見つけられたかどうかを判定し、はいの場合、ブロック１１０３に進み、いいえの場合、ブロック１１０１に戻る。
【０１３０】
ブロック１１０３：他のＳＳＢが近い周波数において見つけられ得るかどうかを確かめるために探索することを続ける。
【０１３１】
ブロック１１０４：別のＳＳＢが近い周波数において見つけられたかどうかを判定し、はいの場合、ブロック１１０５に進み、いいえの場合、ブロック１１０３に戻る。
【０１３２】
ブロック１１０５：見つけられたＳＳＢが同じキャリア上で送られたかどうかを検査する。
【０１３３】
ブロック１１０６：ブロック１１０５の検査結果を判定し、はいの場合、ブロック１１０７に進み、いいえの場合、ブロック１１０８に進む。
【０１３４】
ブロック１１０７：複数のＳＳＢのうちの少なくとも１つのＳＳＢ中に含まれる情報を復号し、復号された情報に従って、システム情報のインジケータを決定する。
【０１３５】
ブロック１１０８：各ＳＳＢ中に含まれる情報を復号し、復号された情報に従って、システム情報のインジケータを決定する。
【０１３６】
ブロック１１０９：システム情報を取得すること、ランダムアクセスなど、さらなる動作を実施する。
【０１３７】
図１１は本開示の一例にすぎないが、これに限定されないことを諒解されたい。たとえば、ブロック１１０１〜１１０９における動作の順序は調整され得、および／またはいくつかのブロックは省略され得る。その上、図１１に示されていないいくつかのブロックが追加され得る。
【０１３８】
上記の実施形態からわかるように、スペクトルリソースの公平な共有に対する需要は、同じキャリア内で同じタイムスロットにおいて複数のＳＳＢを送信することによって満たされ得る。
【０１３９】
実施形態の第３の態様
無線通信システムにおける同期のための装置が、一実施形態において提供される。本装置は、ネットワークデバイス１０１において設定され得、実施形態の第１の態様または第２の態様における内容と同じ内容は省略される。
【０１４０】
図１２は、本開示の一実施形態による、無線通信システムにおける同期のための装置１２００のブロック図を示す。
【０１４１】
図１２に示されているように、装置１２００は、同じキャリア内で同じタイムスロット中で複数の同期信号ブロック（ＳＳＢ）をブロードキャストするように設定された第１のブロードキャスティングユニット１２０１と、複数のＳＳＢ中に含まれる情報に従って、システム情報のインジケータをブロードキャストするための第２のブロードキャスティングユニット１２０２とを含む。複数のＳＳＢの各々が、サブキャリアの異なるセット上で送られる。
【０１４２】
一実施形態では、各ＳＳＢの周波数ロケーションが、システム情報のインジケータと整合し得る。
【０１４３】
一実施形態では、複数のＳＳＢの各々は、システム情報のインジケータの周波数ロケーションを、複数のＳＳＢの各々がその上で送られるサブキャリアに対する、または統合された参照周波数に対する周波数オフセットを通して、指示する。
【０１４４】
一実施形態では、複数のＳＳＢの各々は、システム情報のインジケータの周波数ロケーションを、システム情報のインジケータのグリッド番号を通して指示する。
【０１４５】
一実施形態では、同じタイムスロット中の複数のＳＳＢは、異なるビームフォーミング方向を用いて送られる。
【０１４６】
一実施形態では、図１２に示されているように、装置１２００は、データおよびＳＳＢ送信の開始として使用されるシンボルについて、データ送信とＳＳＢ送信の両方に対してリッスンビフォアトーク（ＬＢＴ）を実施するように設定された、決定ユニット１２０３をさらに含み得る。
【０１４７】
装置１２００中に含まれる構成要素が、方法２００または方法７００の動作に対応することを諒解されたい。したがって、図２または図７を参照しながら上記で説明されたすべての動作および特徴は、装置１２００中に含まれる構成要素に同様に適用可能であり、同様の効果を有する。簡略化の目的で、詳細が省略される。
【０１４８】
装置１２００中に含まれる構成要素は、ソフトウェア、ハードウェア、ファームウェア、またはそれらの任意の組合せを含む、様々な様式で実装されることを諒解されたい。
【０１４９】
一実施形態では、１つまたは複数のユニットが、ソフトウェアおよび／またはファームウェア、たとえば、記憶媒体に記憶された機械実行可能命令を使用して実装され得る。機械実行可能命令に加えて、または機械実行可能命令の代わりに、装置１２００中に含まれる構成要素の一部または全部は、少なくとも部分的に、１つまたは複数のハードウェア論理構成要素によって実装され得る。
【０１５０】
たとえば、および限定はしないが、例示的なタイプの、使用され得るハードウェア論理構成要素は、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳＯＣ）、複合プログラマブル論理デバイス（ＣＰＬＤ）などを含む。
【０１５１】
装置１２００は、デバイスの一部であり得る。ただし、これに限定されず、たとえば、装置１２００は、ネットワークデバイス１０１であり得、送信機および受信機など、ネットワークデバイス１０１の他の部分が、図１２では省略される。
【０１５２】
上記の実施形態からわかるように、スペクトルリソースの公平な共有に対する需要は、同じキャリア内で同じタイムスロットにおいて複数のＳＳＢを送信することによって満たされ得る。その上、データ送信とＳＳＢ送信の両方に対するＬＢＴが、リソース効率を増加させながらできるだけ早くＳＳＢ送信成功を確実にするために実施され得る。
【０１５３】
実施形態の第４の態様
無線通信システムにおける同期のための装置が、一実施形態において提供される。本装置は、端末デバイス１０２において設定され得、実施形態の第１の態様および第２の態様における内容と同じ内容は省略される。
【０１５４】
図１３は、本開示の一実施形態による、無線通信システムにおける同期のための装置１３００のブロック図を示す。
【０１５５】
図１３に示されているように、装置１３００は、同じキャリアに属するサブキャリアのそれぞれのセット上で、同じタイムスロット中で複数のＳＳＢを受信するように設定された受信ユニット１３０１と、同じキャリア中の複数のＳＳＢのうちの少なくとも１つ中に含まれる情報を復号するように設定された復号ユニット１３０２と、復号された情報に従って、システム情報のインジケータを決定するように設定された決定ユニット１３０３とを含む。
【０１５６】
一実施形態では、受信ユニット１３０１は、少なくとも１つのＳＳＢが見つけられたとき、近い周波数において別の同時に受信されたＳＳＢを探索することを続けるように設定された探索ユニット（図１３に図示せず）と、見つけられた同時に受信されたＳＳＢが同じキャリア上で送られたかどうかを判定するように設定された判定ユニット（図１３に図示せず）とを含み得る。
【０１５７】
一実施形態では、判定ユニットは、見つけられたＳＳＢが同じキャリアに属するかどうかを判定するために、これらのＳＳＢが同じプランニングチャネル中にあるかどうかを検査することおよび／またはこれらのＳＳＢから検出されたセル識別情報が同じであるかどうかを判定することを行うように設定され得る。
【０１５８】
一実施形態では、決定ユニット１２０３は、それぞれ、複数のＳＳＢの各々の復号された情報に従って、システム情報のインジケータを決定すること、または、システム情報のインジケータを決定するために、複数のＳＳＢの復号された情報が同じ参照周波数を有するとき、復号された情報の合成を実施し、合成された情報に従って、システム情報のインジケータを決定することを行うように設定され得る。
【０１５９】
装置１３００中に含まれる構成要素が、方法１０００の動作に対応することを諒解されたい。したがって、図１０を参照しながら上記で説明されたすべての動作および特徴は、装置１３００中に含まれる構成要素に同様に適用可能であり、同様の効果を有する。簡略化の目的で、詳細が省略される。
【０１６０】
装置１３００中に含まれる構成要素は、ソフトウェア、ハードウェア、ファームウェア、またはそれらの任意の組合せを含む、様々な様式で実装されることを諒解されたい。
【０１６１】
一実施形態では、１つまたは複数のユニットが、ソフトウェアおよび／またはファームウェア、たとえば、記憶媒体に記憶された機械実行可能命令を使用して実装され得る。機械実行可能命令に加えて、または機械実行可能命令の代わりに、装置１３００中に含まれる構成要素の一部または全部は、少なくとも部分的に、１つまたは複数のハードウェア論理構成要素によって実装され得る。
【０１６２】
たとえば、および限定はしないが、例示的なタイプの、使用され得るハードウェア論理構成要素は、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳＯＣ）、複合プログラマブル論理デバイス（ＣＰＬＤ）などを含む。
【０１６３】
装置１３００は、デバイスの一部であり得る。ただし、これに限定されず、たとえば、装置１３００は、端末デバイス１０２であり得、送信機および受信機など、端末デバイス１０２の他の部分が、図１３では省略される。
【０１６４】
上記の実施形態からわかるように、スペクトルリソースの公平な共有に対する需要は、同じキャリア内で同じタイムスロットにおいて複数のＳＳＢを送信することによって満たされるであろう。
【０１６５】
実施形態の第５の態様
通信システムが提供され、図１に示されているように、通信システム１００は、端末デバイス１０２とネットワークデバイス１０１とを含む。
【０１６６】
（端末デバイス１０２またはネットワークデバイス１０１などの）デバイスが、一実施形態において提供され、実施形態の第１の態様および第２の態様における内容と同じ内容は省略される。
【０１６７】
図１４は、本開示の実施形態を実装するのに好適であるデバイス１４００の簡略ブロック図を示す。デバイス１４００が、たとえば、ネットワークデバイス１０１または端末デバイス１０２の、少なくとも一部として実装され得ることが諒解されるであろう。
【０１６８】
示されているように、デバイス１４００は、通信手段１４３０と処理手段１４５０とを含む。処理手段１４５０は、データプロセッサ（ＤＰ）１４１０と、ＤＰ１４１０に結合されたメモリ（ＭＥＭ）１４２０とを含む。通信手段１４３０は、処理手段１４５０中のＤＰ１４１０に結合される。ＭＥＭ１４２０はプログラム（ＰＲＯＧ）１４４０を記憶する。通信手段１４３０は、信号を送信／受信するためのトランシーバとして実装され得る、他のデバイスとの通信のためのものである。
【０１６９】
いくつかの実施形態では、デバイス１４００がネットワークデバイスとして働く。たとえば、メモリ１４２０は、複数の命令を記憶し、メモリ１４２０に結合されたプロセッサ１４１０は、その命令を実行するように設定され、ネットワークデバイスは、同じキャリア内で同じタイムスロット中で複数の同期信号ブロック（ＳＳＢ）をブロードキャストすることと、複数のＳＳＢ中に含まれる情報に従って、システム情報のインジケータをブロードキャストすることとを行うように設定される。複数のＳＳＢの各々が、サブキャリアの異なるセット上で送られる。
【０１７０】
いくつかの他の実施形態では、デバイス１４００が端末デバイスとして働く。たとえば、メモリ１４２０は、複数の命令を記憶し、メモリ１４２０に結合されたプロセッサ１４１０は、同じキャリアに属するサブキャリアのそれぞれのセット上で、複数のＳＳＢを受信することと、同じキャリア中の複数のＳＳＢのうちの少なくとも１つ中に含まれる情報を復号することと、復号された情報に従って、システム情報のインジケータを決定することとを行うためにその命令を実行するように設定される。
【０１７１】
ＰＲＯＧ１４４０は、関連するＤＰ１４１０によって実行されたとき、デバイス１４００が、方法２００または１０００とともに本明細書で論じられたように、本開示の実施形態に従って動作することを可能にする、プログラム命令を含むと仮定される。本明細書の実施形態は、デバイス１４００のＤＰ１４１０によって実行可能なコンピュータソフトウェアによって、またはハードウェアによって、またはソフトウェアとハードウェアとの組合せによって実装され得る。データプロセッサ１４１０とＭＥＭ１４２０との組合せは、本開示の様々な実施形態を実装するように適応された処理手段１４５０を形成し得る。
【０１７２】
ＭＥＭ１４２０は、ローカル技術環境に好適な任意のタイプのものであり得、非限定的な例として、半導体ベースメモリデバイス、磁気メモリデバイスおよびシステム、光メモリデバイスおよびシステム、固定メモリおよびリムーバブルメモリなど、任意の好適なデータ記憶技術を使用して実装され得る。１つのＭＥＭのみがデバイス１４００中に示されているが、デバイス１４００中には、いくつかの物理的に別個のメモリモジュールがあり得る。ＤＰ１４１０は、ローカル技術環境に好適な任意のタイプのものであり得、非限定的な例として、汎用コンピュータ、専用コンピュータ、マイクロプロセッサ、デジタル信号プロセッサ（ＤＳＰ）およびマルチコアプロセッサアーキテクチャに基づくプロセッサのうちの１つまたは複数を含み得る。デバイス１４００は、メインプロセッサを同期させるクロックに時間的にスレーブされる、特定用途向け集積回路チップなど、複数のプロセッサを有し得る。
【０１７３】
概して、本開示の様々な実施形態は、ハードウェアまたは専用回路、ソフトウェア、論理またはそれらの任意の組合せで実装され得る。いくつかの態様は、ハードウェアで実装され得、他の態様は、コントローラ、マイクロプロセッサまたは他のコンピューティングデバイスによって実行され得るファームウェアまたはソフトウェアで実装され得る。本開示の実施形態の様々な態様は、ブロック図として、フローチャートとして、または何らかの他の図式表現を使用して、例示および説明されるが、本明細書で説明されるブロック、装置、システム、技法または方法は、非限定的な例として、ハードウェア、ソフトウェア、ファームウェア、専用回路または論理、汎用ハードウェアまたはコントローラまたは他のコンピューティングデバイス、またはそれらの何らかの組合せで実装され得ることが諒解されよう。
【０１７４】
例として、本開示の実施形態は、ターゲット現実または仮想プロセッサ上のデバイスにおいて実行される、プログラムモジュール中に含まれる命令など、機械実行可能命令の一般的なコンテキストにおいて説明され得る。概して、プログラムモジュールは、特定のタスクを実施するかまたは特定の抽象データタイプを実装する、ルーチン、プログラム、ライブラリ、オブジェクト、クラス、構成要素、データ構造などを含む。プログラムモジュールの機能性は、様々な実施形態において、必要に応じて、プログラムモジュール間で組み合わせられるかまたは分割され得る。プログラムモジュールのための機械実行可能命令は、ローカルデバイスまたは分散デバイス内で実行され得る。分散デバイスでは、プログラムモジュールは、ローカル記憶媒体とリモート記憶媒体の両方にあり得る。
【０１７５】
本開示の方法を行うためのプログラムコードが、１つまたは複数のプログラミング言語の任意の組合せで書き込まれ得る。これらのプログラムコードは、プログラムコードが、プロセッサまたはコントローラによって実行されたとき、フローチャートおよび／またはブロック図において指定された機能／動作を実装させるように、汎用コンピュータ、専用コンピュータ、または他のプログラマブルデータ処理装置のプロセッサまたはコントローラに提供され得る。プログラムコードは、完全に機械上で、スタンドアロンソフトウェアパッケージとして、部分的に機械上で、部分的に機械上および部分的にリモート機械上で、または完全にリモート機械またはサーバ上で実行し得る。
【０１７６】
上記のプログラムコードは、命令実行システム、命令実行装置、または命令実行デバイスによる使用のためのプログラム、またはそれに関するプログラムを含んでいるかまたは記憶し得る、任意の有形媒体であり得る、機械可読媒体上で具現され得る。機械可読媒体は、機械可読信号媒体または機械可読記憶媒体であり得る。機械可読媒体は、限定はしないが、電子、磁気、光学、電磁、赤外線、または半導体の、システム、装置、またはデバイス、または上記のものの任意の好適な組合せを含み得る。
【０１７７】
機械可読記憶媒体のより具体的な例は、１つまたは複数のワイヤを有する電気的接続、ポータブルコンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭまたはフラッシュメモリ）、光ファイバー、ポータブルコンパクトディスク読取り専用メモリ（ＣＤ−ＲＯＭ）、光記憶デバイス、磁気記憶デバイス、または上記のものの任意の好適な組合せを含むであろう。
【０１７８】
本開示のコンテキストでは、デバイスは、コンピュータシステムによって実行される、プログラムモジュールなど、コンピュータシステム実行可能命令の一般的なコンテキストにおいて実装され得る。概して、プログラムモジュールは、特定のタスクを実施するかまたは特定の抽象データタイプを実装する、ルーチン、プログラム、オブジェクト、構成要素、論理、データ構造などを含み得る。デバイスは、タスクが通信ネットワークを通してリンクされるリモート処理デバイスによって実施される、分散クラウドコンピューティング環境において実施され得る。分散クラウドコンピューティング環境では、プログラムモジュールは、メモリ記憶デバイスを含む、ローカルコンピュータシステム記憶媒体とリモートコンピュータシステム記憶媒体の両方にあり得る。
【０１７９】
さらに、動作は特定の順序で示されているが、これは、望ましい結果を達成するために、そのような動作が、示されている特定の順序または連続した順序で実施されること、またはすべての例示された動作が実施されることを必要とするものとして理解されるべきではない。いくつかの状況では、マルチタスキングおよび並列処理が有利であり得る。同様に、いくつかの特定の実装の詳細が上記の議論中に含まれているが、これらは、本開示の範囲に対する限定と解釈されるべきではなく、むしろ特定の実施形態に固有であり得る特徴の説明と解釈されるべきである。別個の実施形態のコンテキストにおいて説明されるいくつかの特徴は、単一の実施形態における組合せでも実装され得る。逆に、単一の実施形態のコンテキストにおいて説明される様々な特徴が、複数の実施形態において別々にも実装され、または任意の好適な部分組合せでも実装され得る。
【０１８０】
本開示は、構造的特徴および／または方法論的行為に固有の言語で説明されたが、添付の特許請求の範囲において規定されている本開示が、必ずしも上記で説明された特定の特徴または行為に限定されるとは限らないことを理解されたい。むしろ、上記で説明された特定の特徴および行為は、特許請求の範囲を実装することの例示的な形態として開示される。
【図１】
2020516120.tif 000003
【図２】
2020516120.tif 000004
【図３】
2020516120.tif 000005
【図４】
2020516120.tif 000006
【図５】
2020516120.tif 000007
【図６】
2020516120.tif 000008
【図７】
2020516120.tif 000009
【図８】
2020516120.tif 000010
【図９】
2020516120.tif 000011
【図１０】
2020516120.tif 000012
【図１１】
2020516120.tif 000013
【図１２】
2020516120.tif 000014
【図１３】
2020516120.tif 000015
【図１４】
2020516120.tif 000016
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
無線通信システムにおける同期のための方法であって、
同期信号ブロック（ＳＳＢ）をブロードキャストすることであって、前記ＳＳＢに含まれる情報は、システム情報のインジケータの周波数ロケーションを、前記ＳＳＢが送られる周波数ロケーションに対する、または統合された参照周波数に対する周波数オフセットを通して、指示する、ＳＳＢをブロードキャストすることと、
前記ＳＳＢ中に含まれる前記情報に従って、システム情報の前記インジケータをブロードキャストすることと
を含む、方法。
【請求項２】
前記ブロードキャストされるＳＳＢが、同じキャリアでブロードキャストされる複数のＳＳＢのうちの１つであり、前記複数のＳＳＢの各々が、サブキャリアの異なるセットで送られる、請求項１に記載の方法。
【請求項３】
前記複数のＳＳＢが、同じタイムスロット中でブロードキャストされる、請求項２に記載の方法。
【請求項４】
前記複数のＳＳＢが、異なるビームフォーミング方向を用いて送られる、請求項３に記載の方法。
【請求項５】
前記方法が、
データおよびＳＳＢ送信の開始として使用されるシンボルについて、データ送信とＳＳＢ送信の両方に対してリッスンビフォアトーク（ＬＢＴ：ｌｉｓｔｅｎ  ｂｅｆｏｒｅ  ｔａｌｋ）を実施すること
をさらに含む、請求項１から４のいずれか一項に記載の方法。
【請求項６】
同じキャリア中でブロードキャストされた前記複数のＳＳＢが、同じタイムスロット中にある、請求項２から５のいずれか一項に記載の方法。
【請求項７】
無線通信システムにおける同期のための方法であって、
端末デバイスによって、ＳＳＢを検出することであって、前記ＳＳＢに含まれる情報は、システム情報のインジケータの周波数ロケーションを、前記ＳＳＢが送られる周波数ロケーションに対する、または統合された参照周波数に対する周波数オフセットを通して、指示する、ＳＳＢを検出することと、
前記ＳＳＢに含まれる前記情報を復号することと、
前記復号された情報に従って、システム情報の前記インジケータの前記周波数ロケーションを決定することと
を含む、方法。
【請求項８】
前記検出されたＳＳＢは、各々がサブキャリアの異なるセットでブロードキャストされた複数の検出されたＳＳＢのうちの１つであり、
前記方法は、
各々がサブキャリアの異なるセットでブロードキャストされた前記複数の検出されたＳＳＢが前記同じキャリア上で送られたかどうかを判定することと
を含む、請求項７に記載の方法。
【請求項９】
前記複数の検出されたＳＳＢが前記同じキャリア上で送られたかどうかを判定することは、
前記複数の検出されたＳＳＢが同じプランニングチャネル中にあるかどうかを検査することと、
前記複数の検出されたＳＳＢから検出されたセル識別情報が同じであるかどうかを判定することと
のうちの１つまたは複数を含む、請求項８に記載の方法。
【請求項１０】
システム情報の前記インジケータの前記周波数ロケーションを決定することは、
前記複数の検出されたＳＳＢのうちの１つの復号された情報に従って、システム情報の前記インジケータの前記周波数ロケーションを決定すること、
前記複数の検出されたＳＳＢの各々の復号された情報に従って、システム情報の前記インジケータの前記周波数ロケーションを決定すること、または
前記複数の検出されたＳＳＢの前記復号された情報が同じ参照周波数を有するとき、前記復号された情報の合成を実施し、前記合成された情報に従って、システム情報の前記インジケータの前記周波数ロケーションを決定すること
を含む、請求項７から９のいずれか一項に記載の方法。
【請求項１１】
前記同じキャリアに属する複数のＳＳＢを受信することが、同じタイムスロットにおいてである、請求項７から１０のいずれか一項に記載の方法。
【請求項１２】
プロセッサとメモリとを備えるネットワークデバイスであって、前記メモリが、前記プロセッサによって実行可能な命令を含んでおり、それにより、前記ネットワークデバイスが、請求項１から６のいずれか一項に記載の、無線通信システムにおける同期のための方法を実施するように動作可能である、ネットワークデバイス。
【請求項１３】
プロセッサとメモリとを備える端末デバイスであって、前記メモリが、前記プロセッサによって実行可能な命令を含んでおり、それにより、前記端末デバイスが、請求項７から１１
のいずれか一項に記載の、無線通信システムにおける同期のための方法を実施するように動作可能である、端末デバイス。
【請求項１４】
コンピュータ可読記憶媒体上に有形に記憶されたコンピュータプログラム製品であって、ネットワークデバイスのプロセッサ上で実行されたとき、前記ネットワークデバイスに、請求項１から６のいずれか一項に記載の、無線通信システムにおける同期のための方法を実施させる命令を含む、コンピュータプログラム製品。
【請求項１５】
コンピュータ可読記憶媒体上に有形に記憶されたコンピュータプログラム製品であって、端末デバイスのプロセッサ上で実行されたとき、前記端末デバイスに、請求項７から１１のいずれか一項に記載の、無線通信システムにおける同期のための方法を実施させる命令を含む、コンピュータプログラム製品。
【手続補正２】
【補正対象書類名】明細書
【補正対象項目名】０００９
【補正方法】変更
【補正の内容】
【０００９】
概して、本開示の実施形態は、無線通信システムにおける同期のためのソリューションを提供する。実施形態では、スペクトルリソースの公平な共有に対する需要が満たされ得るように、ＳＳＢが送信される。
【手続補正３】
【補正対象書類名】明細書
【補正対象項目名】００１０
【補正方法】変更
【補正の内容】
【００１０】
第１の態様では、無線通信システムにおける同期のための方法が提供される。本方法は、同期信号ブロック（ＳＳＢ：ｓｙｎｃｈｒｏｎｉｚａｔｉｏｎ  ｓｉｇｎａｌ  ｂｌｏｃｋ）をブロードキャストすることと、ＳＳＢ中に含まれる情報に従って、システム情報のインジケータをブロードキャストすることとを含む。
【手続補正４】
【補正対象書類名】明細書
【補正対象項目名】００１１
【補正方法】変更
【補正の内容】
【００１１】
一実施形態では、ブロードキャストされるＳＳＢは、同じキャリアでブロードキャストされる複数のＳＳＢのうちの１つである。
【手続補正５】
【補正対象書類名】明細書
【補正対象項目名】００１２
【補正方法】変更
【補正の内容】
【００１２】
一実施形態では、ＳＳＢに含まれる情報は、システム情報のインジケータの周波数ロケーションを、対応するＳＳＢがその上で送られるサブキャリアに対する、または統合された参照周波数に対する周波数オフセットを通して、指示する。
【手続補正６】
【補正対象書類名】明細書
【補正対象項目名】００１６
【補正方法】変更
【補正の内容】
【００１６】
第２の態様では、無線通信システムにおける同期のための方法が提供される。本方法は、ＳＳＢを検出することと、検出されたＳＳＢに含まれる情報を復号することと、復号された情報に従って、システム情報のインジケータの周波数ロケーションを決定することとを含む。
【手続補正７】
【補正対象書類名】明細書
【補正対象項目名】００１７
【補正方法】変更
【補正の内容】
【００１７】
一実施形態では、検出されたＳＳＢは、各々がサブキャリアの異なるセットでブロードキャストされた複数の検出されたＳＳＢのうちの１つである。ＳＳＢを検出することは、各々がサブキャリアの異なるセットでブロードキャストされた複数の検出されたＳＳＢが同じキャリア上で送られたかどうかを判定することとを含む。
【手続補正８】
【補正対象書類名】明細書
【補正対象項目名】００１８
【補正方法】変更
【補正の内容】
【００１８】
一実施形態では、複数の検出されたＳＳＢが同じキャリア上で送られたかどうかを判定することは、検出されたＳＳＢが同じプランニングチャネル中にあるかどうかを検査する（ｃｈｅｃｋ）ことと、複数の検出されたＳＳＢから検出されたセル識別情報が同じであるかどうかを判定することとのうちの１つまたは複数を含む。
【手続補正９】
【補正対象書類名】明細書
【補正対象項目名】００１９
【補正方法】変更
【補正の内容】
【００１９】
一実施形態では、システム情報のインジケータの周波数ロケーションを決定することは、複数の検出されたＳＳＢのうちの１つの復号された情報に従って、システム情報のインジケータの周波数ロケーションを決定すること、複数の検出されたＳＳＢのうちの１つの復号された情報に従って、システム情報のインジケータの周波数ロケーションを決定すること、または、複数の検出された複数のＳＳＢの復号された情報が同じ参照周波数を有するとき、復号された情報の合成を実施し、合成された情報に従って、システム情報のインジケータの周波数ロケーションを決定することを含む。
【手続補正１０】
【補正対象書類名】明細書
【補正対象項目名】００２０
【補正方法】変更
【補正の内容】
【００２０】
第３の態様では、プロセッサとメモリとを含むネットワークデバイスが提供される。メモリは、プロセッサによって実行可能な命令を含んでおり、それにより、本ネットワークデバイスは、同期信号ブロック（ＳＳＢ）をブロードキャストすることと、ＳＳＢ中に含まれる情報に従って、システム情報のインジケータをブロードキャストすることとを行うように動作可能である。
【手続補正１１】
【補正対象書類名】明細書
【補正対象項目名】００２１
【補正方法】変更
【補正の内容】
【００２１】
第４の態様では、プロセッサとメモリとを含む端末デバイスが提供される。メモリは、プロセッサによって実行可能な命令を含んでおり、それにより、本端末デバイスは、ＳＳＢを検出することと、検出されたＳＳＢに含まれる情報を復号することと、復号された情報に従って、システム情報のインジケータの周波数ロケーションを決定することとを行うように動作可能である。
【手続補正１２】
【補正対象書類名】明細書
【補正対象項目名】００２２
【補正方法】変更
【補正の内容】
【００２２】
第５の態様では、通信システムが提供される。本システムは、端末デバイスとネットワークデバイスとを含み、ネットワークデバイスは、同期信号ブロック（ＳＳＢ）をブロードキャストすることと、ＳＳＢ中に含まれる情報に従って、システム情報のインジケータをブロードキャストすることとを行うように設定される。
【手続補正１３】
【補正対象書類名】明細書
【補正対象項目名】００２３
【補正方法】変更
【補正の内容】
【００２３】
端末デバイスは、ＳＳＢを検出することと、ＳＳＢに含まれる情報を復号することと、復号された情報に従って、システム情報のインジケータの周波数ロケーションを決定することとを行うように設定される。
【国際調査報告】
2020516120.tif 000017
2020516120.tif 000018